(57)【要約】　　　（修正有）【課題】迅速且つ簡単に折合椅子自体を折畳み或は展開でき、極めて優れた安全防護措置を提供する。【解決手段】一種の段節式折合椅子１の構造改良に関するもので、主要なものには１個の前脚フレーム１１、１個の後脚フレーム１２及び２個の側脚フレーム１３を含む。その中で、２個の側脚フレーム１３の上側ロッドのロッド本体には、１個の手摺構造２をそれぞれ設置し、その下方端面の適当な箇所に、順に前スリーブ２２及び後スリーブ２３を固定設置する。この設計により、折合椅子１自体を収合或は展開する時は、使用者はそれぞれ手摺構造２上を直接両手で握ることができ、両手を挟み傷つけずに、迅速且つ簡単に折合椅子１自体を折畳み或は展開できる。全体として言えば、極めて優れた便利性と実用性を具える。【選択図】　図１
0003098355.tif 000002
【実用新案登録請求の範囲】
【請求項１】
１個の前脚フレームと、１個の後脚フレームと、２個の側脚フレームとを含む段節式折合椅子の構造であって、以下の構成からなる一種の段節式折合椅子の構造。
前記後脚フレームはそれぞれ「Ｘ」型に設置された前・後ロッドを具え、一方２個の側脚フレームはそれぞれ１個の主側ロッドを具え、１個の連結ブロックと１個の上側ロッド及び１個の下側ロッドをピボット接合し、その主側ロッド及び上・下側ロッドのロッド端にはそれぞれピボットジョイントブロックを設け、前・後脚フレームを接続し、上述各部部材を相互に連動させ、
２個の側脚フレームの上側ロッドはそれぞれ１個の手摺構造に固定設置し、これにより同折合椅子を収合する時は、それを両手で握る使用用途を提供できることを特徴とする段節式折合椅子の構造。
【請求項２】
上側ロッドと手摺構造の両者の間を固定片によりネジ締め固定することを特徴とする請求項１記載の段節式折合椅子の構造。
【請求項３】
手摺構造の下方端面の適当な箇所に、順に前スリーブ及び後スリーブを固定設置し、該前スリーブ内部に１個の貫通した通し孔を形成し、該後スリーブ内部には１個の中空の位置決め孔を設置し、１個の支持ロッドをその中を貫通して固定を形成することを特徴とする請求項１記載の段節式折合椅子の構造。
【請求項４】
後脚フレームに交叉設置した後脚ロッド上に２個の相対する止め輪を固定設置して、支持ロッドの固定嵌合に提供することを特徴とする請求項１記載の段節式折合椅子の構造。
【考案の詳細な説明】
【０００１】
【考案の属する技術分野】
本考案は一種の段節式折合椅子の構造改良に関するもので、特に一種の手摺構造の設計により、その折合椅子自体の折畳み或は展開を便利にし、且つ極めて優れた安全防護措置を提供する段節式折合椅子の構造に関する。
【０００２】
【従来の技術】
現在は戸外レジャー活動が普遍的に重視されると同時に、多くの家庭用品は収納及び携帯等の特性を兼ねている。使用者の需要に対し、現在一般市場の折合椅子の構造は、普遍的に皆折畳収合機能を付加して、外出レジャー時の携帯使用の便を図っている。
【０００３】
この為に、本考案者も多年関係産品を製作した経験から、１９００年８月２４日に申請番号第８９２１４５７３号「段節式折合椅子」の新型考案を提出した。図８に示したように、同折合椅子（４）の主要なものは１個の前脚フレーム（４１）・１個の後脚フレーム（４２）及び２個の側脚フレーム（４３）を含む。その中で、同前後脚フレーム（４１）・（４２）はそれぞれ２個の交叉設置された前後脚ロッド（４１１）・（４１２）を具え、２個の側脚フレーム（４３）にはそれぞれ１個の主側ロッド（４３１）を具える。また１個の連結ブロック（４４）と１個の上側ロッド（４３２）及び１個の下側ロッド（４３３）をピボット接合する。同時に、各１個の主側ロッド（４３１）及び上下側ロッド（４３２）・（４３３）のロッド端にそれぞれピボットジョイントブロック（４５）と前後脚フレーム（４１）・（４２）を接続し、上述各部部材を相互に連動させ、折畳み或は展開の状態にする。
【０００４】
【考案が解決しようとする課題】
一方上述の折合椅子（４）構造は確かに効果的に迅速な折畳収合の機能を達成できるが、図９に示す如く、使用者は同折合椅子（４）の収合作業を行う時は、先ず両手でそれぞれ２個の交叉設置された前脚ロッド（４１１）を必ず握る必要がある。この場合は、収合過程中に容易に両手を前脚ロッド（４１１）及び上側ロッド（４３２）に挟まれ、甚だしき時は傷を負うことになり、安全措置は優れていない。全体としては、収合作業が不便である。
【０００５】
このことに鑑み、本考案者は改良を考え、その間不断の研究構想を経て、一種の『段節式折合椅子の構造改良』を考案し、この設計により以下の考案目的を達成することを希望する。
【０００６】
本考案設計の目的は、１個の段節式折合椅子の構造改良の提供である。主要なものには１個の前脚フレーム・１個の後脚フレーム及び２個の側脚フレームを含む。その中で、２個の側脚フレームの上側ロッドのロッド本体には、１個の手摺構造をそれぞれ設置し、その下方端面の適当な箇所に、順に前スリーブ及び後スリーブを固定設置する。この設計により、折合椅子自体を収合或は展開する時は、それぞれ手摺構造上を直接両手で握ることができ、両手を挟み傷つけずに、迅速且つ簡単に折合椅子自体を折畳み或は展開でき、極めて優れた安全防護措置を提供する。
【０００７】
【課題を解決するための手段】
本考案は一種の段節式折合椅子の構造改良に関するもので、主要なものには１個の前脚フレーム、１個の後脚フレーム及び２個の側脚フレームを含む。その中で、２個の側脚フレームの上側ロッドのロッド本体には、１個の手摺構造をそれぞれ設置し、その下方端面の適当な箇所に、順に前スリーブ及び後スリーブを固定設置する。この設計により、折合椅子自体を収合或は展開する時は、使用者はそれぞれ手摺構造上を直接両手で握ることができ、両手を挟み傷つけずに、迅速且つ簡単に折合椅子自体を折畳み或は展開できる。全体として言えば、極めて優れた便利性と実用性を具える。
【０００８】
【考案の実施の形態】
本考案の構造の特徴及び特長を明確に説明する為に、添付図を利用して以下に詳細説明する：
先ず図１の本考案の段節式折合椅子（１）の立体外観図を参照して説明する。主要なものには１個の前脚フレーム（１１）・１個の後脚フレーム（１２）及び２個の側脚フレーム（１３）を含む。その中で、同前後脚フレーム（１１）・（１２）はそれぞれ「Ｘ」型に設置された前後ロッド（１１１）・（１２１）を具え、一方２個の側脚フレーム（１３）はそれぞれ１個の主側ロッド（１３１）を具え、１個の連結ブロック（１４）と１個の上側ロッド（１３２）及び１個の下側ロッド（１３３）　をピボット接合する。同時に、各１個の主側ロッド（１３１）　及び上下側ロッド（１３２）・（１３３）のロッド端には、それぞれピボットジョイントブロック（１５）　と前後脚フレーム（１１）・（１２）を接続し、上述各部部材を相互に連動させ、折合椅子（１）自体を折畳み或は展開の状態にする。
【０００９】
図１及び２を参照して説明する。その中で、２個の側脚フレーム（１３）の上側ロッド（１３２）のロッド本体には手摺構造（２）をそれぞれ設置し、且つ同上側ロッド（１３２）と手摺構造（２）の両者の間を固定片（２１）によりネジ締め固定する。また同手摺構造（２）の下方端面の適当な箇所に、順に前スリーブ（２２）及び後スリーブ（２３）を固定設置する。その中で、前スリーブ（２２）内部に１個の貫通した通し孔（２２１）を形成し、後スリーブ（２３）内部には１個の中空の位置決め孔（２３１）を設置する。
【００１０】
次に図３及び４を参照して説明する。折合椅子（１）の両側手摺構造（２）の下方の前スリーブ（２２）及び後スリーブ（２３）の構造設計により、支持ロッド（３）をその中を貫通して固定できる。これにより、折合椅子（１）自体の椅子カバーを設置した後、その２個の相対する支持ロッド（３）の間に張られる面積は、使用者に極めて快適な脚部支持空間を提供する。また図５に示す如く、同後脚フレーム（１２）に交叉設置した後脚ロッド（１２１）上にも２個の相対する止め輪（１２２）を固定設置して、使用しない時の支持ロッド（３）の固定用途に提供し、折合椅子（１）の収合作業を利する。
【００１１】
本考案設計の特長は図６及び図７を参照して説明する。使用者は折合椅子（１）を収合或は展開する時、両手でそれぞれ手摺構造（２）を直接握り、各関係部材を迅速且つ簡単に連動させ、折合椅子（１）を迅速に折畳み或は展開でき、従来型の折合椅子（４）を収合する時に容易に使用者の両手を前脚ロッド（１１１）及び上側ロッド（１３２）に挟み傷つける欠点を、効果的に改善し、最も優れた安全措置を提供し、同時に使用者の両手をもたせかけて置く機能を兼備する。
【００１２】
【考案の効果】
上述の綜合として、本考案の「段節式折合椅子の構造改良」は、従来型段節式折合椅子が容易に両手を挟み傷つける欠点を効果的に改良し、同時に折合椅子の収合作業を更に簡単及び便利にする。本考案は前例を見ない設計で、極めて優れた実用性と進歩性を具え、新型特許申請要件に符合するので、ここに法に則り申請を提出する。
【図面の簡単な説明】
【図１】本考案の立体外観図である。
【図２】本考案の手摺構造の側面図である。
【図３】本考案の支持ロッドを手摺構造に応用した時の側面図である。
【図４】本考案の折合椅子に椅子カバーを設置した後の立体外観図である。
【図５】本考案の支持ロッドを後脚フレームに固定した時の説明図である。
【図６】本考案の折合椅子を収合する時の実施例図である。
【図７】本考案の折合椅子を収合した後の実施例図である。
【図８】伝統（従来技術）段節式折合椅子の立体外観図である。
【図９】伝統（従来技術）段節式折合椅子の実施例図である。
【符号の説明】
（１）　　　折合椅子　　　　　　　　　　　　　　　　　　　　　　　　　　　　　　　　（１１）　　　　前脚フレーム
（１１１）　　前脚ロッド　　　　　　　　　　　　　　　　　　　　　　　　　　　　　　（１２）　　　　後脚フレーム
（１２１）　　後脚ロッド　　　　　　　　　　　　　　　　　　　　　　　　　　　　　　（１２２）　　　止め輪
（１３）　　　側脚フレーム　　　　　　　　　　　　　　　　　　　　　　　　　　　　（１３１）　　　主側ロッド
（１３２）　　上側ロッド　　　　　　　　　　　　　　　　　　　　　　　　　　　　　　（１３３）　　　下側ロッド
（１４）　　　連結ブロック　　　　　　　　　　　　　　　　　　　　　　　　　　　　（１５）　　　　ピボットジョイントブロック
（２）　　　手摺構造　　　　　　　　　　　　　　　　　　　　　　　　　　　　　　　　（２１）　　　　固定片
（２２）　　　前スリーブ　　　　　　　　　　　　　　　　　　　　　　　　　　　　　　（２２１）　　　通し孔
（２３）　　　後スリーブ　　　　　　　　　　　　　　　　　　　　　　　　　　　　　　（２３１）　　　位置決め孔
（３）　　　支持ロッド　　　　　　　　　　　　　　　　　　　　　　　　　　　　　　（４）　　　　折合椅子
（４１）　　　前脚フレーム　　　　　　　　　　　　　　　　　　　　　　　　　　　　（４１１）　　　前脚ロッド
（４２）　　　後脚フレーム　　　　　　　　　　　　　　　　　　　　　　　　　　　　（４２１）　　　後脚ロッド
（４３）　　　側脚フレーム　　　　　　　　　　　　　　　　　　　　　　　　　　　　（４３１）　　　主側ロッド
（４３２）　　上側ロッド　　　　　　　　　　　　　　　　　　　　　　　　　　　　　　（４３３）　　　下側ロッド
（４４）　　　連結ブロック　　　　　　　　　　　　　　　　　　　　　　　　　　　　（４５）　　　　ピボットジョイントブロック
【図１】
0003098355.tif 000003
【図２】
0003098355.tif 000004
【図３】
0003098355.tif 000005
【図４】
0003098355.tif 000006
【図５】
0003098355.tif 000007
【図６】
0003098355.tif 000008
【図７】
0003098355.tif 000009
【図８】
0003098355.tif 000010
【図９】
0003098355.tif 000011